(57)【要約】      （修正有）【課題】排水桝内の構成が単純で、かつ清掃の際に取り外しができるため、清掃が簡単な浅型排水桝を提供する。【解決手段】排水桝本体１の周側壁に排水横引管を備えた浅型排水桝において、排水桝本体は、上段槽２と下段槽３からなり、上段槽底面には、下段槽へ排水を導く段部を有する開口４が設けられ、開口から出し入れ可能なトラップ椀６は、下段槽底部に設けられた位置決め突起７により位置決めされて下段槽底部に着接され、トラップ椀に同心状に配設されて、トラップ椀内の排水を水封する排水導入管９は、その上端に円盤状の顎板１０が設けられて、開口周囲の上段槽底面に掛け止めされるとともに、排水導入管上部外周には、排水導入管の自重による圧力を受けて形状を変化させるリップ構造をもつ環状パッキン１３が装着されて、開口を密封するとともに、開口の段部に溜まる排水によって水封することを特徴とする。【選択図】図１
0003190043.tif 000002
【実用新案登録請求の範囲】
【請求項１】
排水桝本体の周側壁に排水横引管を備えた浅型排水桝において、
前記排水桝本体は、上段槽と下段槽からなり、
上段槽底面には、下段槽へ排水を導く段部を有する開口が設けられ、
前記開口から出し入れ可能なトラップ椀は、下段槽底部に設けられた位置決め突起により位置決めされて下段槽底部に着接され、
前記トラップ椀に同心状に配設されて、トラップ椀内の排水を水封する排水導入管は、その上端に円盤状の顎板が設けられて、前記開口周囲の上段槽底面に掛け止めされるとともに、
前記排水導入管上部外周には、前記排水導入管の自重による圧力を受けて形状を変化させるリップ構造をもつ環状パッキンが装着されて、前記開口を密封するとともに、前記開口の段部に溜まる排水によって水封することを特徴とする浅型排水桝。
【考案の詳細な説明】
【技術分野】
【０００１】
この考案は、業務用厨房や食品工場等に敷設して使用されるトラップ付き排水桝に関する。
【背景技術】
【０００２】
図３に示すように、封水深を確保しつつ、排水性能を高めるため、排水桝槽本体１００の側壁に排水導出管１０１を備えた浅型の排水桝はすでに存在し、この排水桝の封水（トラップ）部は、排水桝槽本体の上方開口部の周縁から垂設した排水導入管１０２と、該排水導入管を囲んで排水桝槽本体の底面上に配設された椀状のトラップ椀１０３とで構成されている（実開平７−１２５６６）。
【０００３】
さらに、前記トラップ椀は、排水桝槽本体の底面上に偏位移動可能に装着されていて、その偏位移動により、該トラップ椀と排水導出管との間の間隔を拡大し、排水導出管に詰まったゴミ等を容易に除去することができるので、清掃がしやくす衛生管理に有利である。
【先行技術文献】
【特許文献】
【０００４】
【特許文献１】実開平７−１２５６６
【考案の概要】
【考案が解決しようとする課題】
【０００５】
しかしながら、前記排水導入管１０２は、リング状の枠体１０４にパッキン１０５を噛まし、その上に排水導入管のフランジ部１０２ａを嵌合させる構造となっており、清掃するためには、リング状枠体１０４に嵌合されている目皿１０６を取り外し、さらに排水導入管のフランジ部１０２ａも取り外すのであるが、このとき、単に抑えられているだけのパッキン１０５が外れて流出してしまうおそれがある。また、リング状の枠体には溝が複数設けられているため、そこに汚れが堆積などの衛生上の問題があった。
【課題を解決するための手段】
【０００６】
上記課題を解決するものとして、本考案は、排水桝本体の周側壁に排水横引管を備えた浅型排水桝において、前記排水桝本体は、上段槽と下段槽からなり、上段槽底面には、下段槽へ排水を導く段部を有する開口が設けられ、前記開口から出し入れ可能なトラップ椀は、下段槽底部に設けられた位置決め突起により位置決めされて下段槽底部に着接され、前記トラップ椀に同心状に配設されて、トラップ椀内の排水を水封する排水導入管は、その上端に円盤状の顎板が設けられて、前記開口周囲の上段槽底面に掛け止めされるとともに、前記排水導入管上部外周には、前記排水導入管の自重による圧力を受けて形状を変化させるリップ構造をもつ環状パッキンが装着されて、前記開口を密封するとともに、前記開口の段部に溜まる排水によって水封することを特徴とする。
【考案の効果】
【０００７】
排水導入管の自重による圧力を受けて形状を変化させるリップ構造をもつ環状パッキンを用いることで、排水導入管の取り外しが容易にできる上、トラップ椀も取り出しが可能なため、清掃が非常に簡単で、衛生的な環境を保つことができる。
【図面の簡単な説明】
【０００８】
【図１】本考案にかかる排水桝の断面図である。
【図２】本考案にかかる排水桝の各構成要素の斜視分解図である。
【図３】従来の排水桝の断面図である。
【考案を実施するための形態】
【０００９】
以下、本考案の実施の形態を図面に基づいて説明する。
図１、図２に示すように、排水桝槽本体１は、上段槽２と下段槽３から構成されている。上段槽２には、厨房などから出る野菜くずなどの比較的大きなゴミを取り除く図示しないバスケットが取り付けられる。上段槽２と下段槽３は溶接などで一体化されているものの、上段槽２に設けられた底面によって上段と下段に仕切られている。図では上段槽が下段槽よりも底面積が大きく書かれているが、上段槽底面は下段槽と同じくらいの大きさであってもかまわない。そして上段槽２底面の中央部には、下段槽３と連通するため、円形の開口４が設けられており、この開口４には、上段槽２底面から一段下がった段部５が設けられている。
【００１０】
下段槽３の底面中央部には、桶状のトラップ椀６を、前記開口４と同心状に下段槽３底面に設置させるための位置決め突起７が設けられており、前記トラップ椀６の底面に設けられた凹み８と適合し、さらに排水の重みによって前記トラップ椀６は下段槽３の底面に安定的に設置される。前記開口４は、このトラップ椀６を出し入れ可能な程度の開口寸法とする。
【００１１】
排水導入管９は、筒状部９ａと上端にフランジ部９ｂを有しており、フランジ部９ｂ上面には、水平に延出する円盤状の顎板１０が取り付けられている。前記円盤状の顎板１０は、上段槽２の段部５よりも外周が大きく設けられており、前記排水導入管９を上段槽２の開口４から下段槽３に挿し込むと、上段槽２の底面で掛止されるようになっている。さらに、前記円盤状の顎板１０は、前記筒状部９ａと同心状に開口１０ａを設けているが、開口１０ａの直径部分に橋渡し状の把手１１を設けている。
【００１２】
前記トラップ椀６には、側壁内部に周方向に均等に間隔をあけた三箇所に、上段槽２開口４から挿し込まれた前記排水導入管９の筒状部９ａが、前記トラップ椀６と同心になるようにリブ状のガイド１２が設けられている。前記排水導入管９を同心状に位置決めするガイドは、この形態に限定されるわけではなく、上段槽底面で掛止される箇所に突起を設けるなどしてもよい。
【００１３】
前記排水導入管９のフランジ部９ｂには下方に延出した外縁部９ｃが設けられており、この外縁部９ｃには、リップ構造を有する環状パッキン１３が装着されている。この時、上段槽２の開口４に設けられた段部５の高さは、環状パッキン１３の厚みよりも低く設けられているため、顎板１０によって上段槽２の底面で掛止されている排水導入管９の自重によって、環状パッキン１３のリップ１３ａは圧力を受けて形状を変化させ、段部５に密着されて、開口４と外縁部９ｃとの隙間を密封する。
【００１４】
上段槽２に流入してくる排水は、排水導入管９を介してトラップ椀６に案内されるが、上段槽２の底面に掛止された顎板１０の隙間から段部５に流入した排水は、環状パッキン１３によって漏れることはないため、段部５においても、下下段槽３内の悪臭などを封じ込めるのに役立つ。
【００１５】
さらに、前記トラップ椀６を溢れ出た排水は、下段槽３の側壁に設けられた排水導出管１４によって下水道へと導かれる。前記トラップ椀６の側壁上端と前記排水導入管９の筒状部９ａ下端の距離が封水深で、SHASE-S（空気調和・衛生工学会規格）等で求められる最低５０ｍｍ以上が確保できる深さとなるように設置され、ここで下水管から悪臭などが逆流してくるのを封じ込めることができる。
【００１６】
清掃する際には、把手１１を持って、排水導入管９を引き抜くことができ、環状パッキン１３を取り落とすこともなく、簡単にとりはずすことができる。さらにトラップ椀を開口４から取り出せることができるため、下段槽３内の排水をすべて流出させることができ、清掃がしやすい。また、上段槽２内も常にドライな状態を保つことができ、細かい溝もないため、従来以上に衛生的な厨房排水を行うことができる。
【符号の説明】
【００１７】
１      排水桝槽本体
２      上段槽
３      下段槽
４      開口
５      段部
６      トラップ椀
７      位置決め突起
８      凹み部
９      排水導入管
９ａ      筒状部
９ｂ    フランジ部
９ｃ    外縁部
１０    顎板
１１    把手
１２    ガイド
１３    環状パッキン
１３ａ  リップ部
１４    排水導出管
【図１】
0003190043.tif 000003
【図２】
0003190043.tif 000004
【図３】
0003190043.tif 000005